(57)【要約】【課題】従来布団干しで日光にあたるのは布団全体の４分の１面であり、裏表全面を干す作業は手間がかかり、干し具もアパートなどでは大きくて設置できないなどの問題がある。【解決手段】布団全面干し器具は長方形の枠を使い、枠短辺部品中央部分に枠が回転できるよう回転軸となる部分をもつ部品を設け回転軸と直角方向のハンガーフックを取り付ける。また、枠を形成する水平方向長辺部品中央にも枠が回転できるよう回転軸を構成するための部品を設け回転軸と同軸方向にハンガーフックを取り付ける。布団を干しているときは３個のハンガーフックで器具を物干し竿に掛け、布団の日光にあたる面をかえるときは長方形枠の短辺、長辺それぞれにある回転機構を使用することで布団の全面を日光にあてて干す作業を洗濯物干し竿のスペースの中で容易にすることができる布団全面干し器具を提供できる。【選択図】図１
2014226521.tif 000002
【特許請求の範囲】
【請求項１】
布団の幅よりも長い２本の水平方向長辺棒と布団の厚さよりも長い２本の短辺棒、および棒連結部品を使って長方形の枠を形成する。枠を形成する長方形短辺の棒中央部分には枠が回転できるよう２本の長辺棒と平行な方向に回転軸となる部分をもつ部品が取り付けられている。この部品の回転軸となる部分には回転軸に対し直角方向に、枠を吊り下げるためのハンガーフックが枠の外側に取り付けられている。ハンガーフックは回転軸となる部分をもつ部品とのあいだで回転機構を形成する。また、枠を形成する水平方向長辺２本の棒中央にも枠が回転できるよう、２本の短辺棒と平行な方向に回転軸を構成するための部分をもつ部品がある。この部品の回転軸を構成する部分に回転軸に対し同軸方向に、枠を吊り下げるためのハンガーフックを取り付ける。ハンガーフックは回転軸を構成するための部分をもつ部品とのあいだで、回転機構及びハンガーフックの抜け止めを形成する。さらに、長方形長辺の棒中央に取り付けられた部品は、棒の径よりも少し大きな穴径をもつ部品であり、棒に取り付け状態で回転及び平行移動ができる。ゆえに長辺棒の中央にハンガーフックの取り付けられた部品を保持するため、平行移動を防止するストッパー部品を備えている。このような構成になっていることを特徴とする布団全面干し器具。
【請求項２】
請求項１において長方形の枠を形成するのに布団の幅よりも長い２本の水平方向長辺棒と布団の厚さよりも長い２本の短辺棒、棒連結部品を使うことに対し、請求項２は布団の幅よりも長い２本の水平方向長辺棒と布団の厚さよりも長い２個の部品で枠を形成することのみ異なる。長方形の枠を形成するのに布団の厚さよりも長い２個の部品の穴に布団の幅よりも長い２本の水平方向長辺棒を組み付けて長方形の枠を形成する。枠を形成する長方形短辺部品中央部分には枠が回転できるよう２本の長辺棒と平行な方向に回転軸となる部分がある。この回転軸となる部分には回転軸に対し直角方向に、枠を吊り下げるためのハンガーフックが枠の外側に取り付けられている。ハンガーフックは回転軸となる部分とのあいだで回転機構を形成する。また、枠を形成する長方形長辺２本の棒中央にも枠が回転できるよう２個の短辺枠部品でつくられる枠部分と平行な方向に回転軸を構成するための部分をもつ部品がある。この部品の回転軸を構成する部分に回転軸に対し同軸方向に、枠を吊り下げるためのハンガーフックを取り付ける。ハンガーフックは回転軸を構成するための部分をもつ部品とのあいだで、回転機構及びハンガーフックの抜け止めを形成する。さらに、長方形長辺の棒中央に取り付けられた部品は、棒の径よりも少し大きな穴径をもつ部品であり、棒に取り付け状態で回転及び平行移動ができる。ゆえに長辺棒の中央にハンガーフックの取り付けられた部品を保持するため、平行移動を防止するストッパー部品を備えている。このような構成になっていることを特徴とする布団全面干し器具。
【発明の詳細な説明】
【技術分野】
【０００１】本発明は布団の裏表全面を日光にあてて干すための器具に関するものである。
【背景技術】
【０００２】布団干しで日光にあたる面を変える従来技術としては、回転機構をもつハンガーに布団を掛けて１８０度回転させるものや、２本の平行な棒の片方からもう片方の棒に布団をのせかえる時、布団を裏返しにするものが提案されている。【０００３】しかしながら、従来品の回転機構ハンガーフックや２本の平行な棒タイプの布団干し器具は、布団の２分の１面を干すことは比較的容易な作業であるが裏表全面を干すためには、器具および布団の状態をかえる作業が必要でありたいへんであった。また、従来品の回転機構ハンガーについては器具の強度にも問題があった。
【発明の概要】
【発明が解決しようとする課題】
【０００４】本発明は上述の点に鑑みてなされたもので、布団の全面干し作業を洗濯物干し竿のスペースの中で容易にでき、強度的にも問題のない器具を提供するものである。
【課題を解決するための手段】
【０００５】本発明は上記課題を解決するために、既存の洗濯物干し竿に、本発明品を吊り下げて使用することで布団の裏表全面を干すことのできる器具を提供する。【０００６】本発明は長方形の枠を使用する。長方形の枠は長辺の棒３と短辺の棒４および連結用部品５でつくられる。あるいは長辺の棒３と短辺の部品７でつくられる。短辺側の部品は請求項２に示すように短辺棒４と連結部品５および部品６のように別々でなく合体してひとつの部品７でもよいが、以降の説明は部品４、部品５および部品６のように別々なばあいでの説明をする。【０００７】枠水平方向両端の短辺枠部品４の中央に長辺棒３と平行な方向に回転軸となる部分をもつ部品６を設け、その回転軸となる部分に対し直角方向に取り付けられたハンガーフック８で洗濯物干し竿１に枠を吊り下げる。部品６とハンガーフック８は組み合わせ状態で回転機構をもつ部品である。【０００８】枠の長辺棒３の中央に短辺の枠部品４と平行な方向に回転軸を構成する部分をもつ部品９を設け、その回転軸を構成する部分に対し同軸方向に取り付けられたハンガーフック１０で洗濯物干し竿１に枠を吊り下げる。部品９とハンガーフック１０は組み合わせ状態で回転機構およびハンガーフックの抜け止め構造をもつ部品である。
【発明の効果】
【０００９】上記構成による効果は次のごとくである。
布団全面干し器具において長方形の枠を構成する水平方向長辺の下側の棒３に布団２を半分折にして掛け、水平方向上側の棒３中央にある回転機構を備えたハンガーフック１０および長方形の枠水平方向両端の短辺部品４の中央にある部品６の回転軸ａとなる部分に対して直角方向に取り付けられた２個のハンガーフック８で布団全面干し器具を洗濯物干し竿１に吊り下げて布団２を干す。この状態で布団２は４分の１面しか日光にあたらないので、枠水平方向両端のハンガーフック８を洗濯物干し竿１からはずし、枠水平方向長辺の上側棒３中央にある回転機構を持つハンガーフック１０を回転軸ｃ中心として、布団全面干し器具を吊るした状態で１８０度回転させ半分折布団２の反対面に日光をあてる。１８０度回転させる時、吊り下げている布団２のとなりに別の竿の洗濯物がある場合は、干されている布団２と布団全面干し器具を洗濯物がない反対方向斜め位置まで傾けることで、布団全面干し器具の回転スペースが確保でき器具を回転させることができる。１８０度回転したら枠水平方向両端にあるハンガーフック８を洗濯物干し竿１に掛けて中央のハンガーフック１０含め３箇所で布団全面干し器具を洗濯物干し竿１に吊り下げて布団２を干す。次に布団全面干し器具の枠水平方向中央のハンガーフック１０を洗濯物干し竿１からはずし、水平方向両端にある短辺部品４の中央にある部品６回転軸ａ中心で長方形の枠を１８０度回転させ棒３の上下位置を入れ替える。この状態で半分折にして掛けていた布団２を、今掛かっている棒３とは別の棒３に裏返しして掛け換えることで布団２の裏面を日光にあてて干すことができる。そして上側になった棒３の中央にあるハンガーフック１０を洗濯物干し竿１に掛け、枠の水平方向両端にあるハンガーフック８を洗濯物干し竿１からはずして、長辺の棒３中央の回転機構をもつハンガーフック１０を回転軸ｃ中心として１８０度回転させて日光をあてる。この一連の作業で布団２の裏表全面を日光にあてることができる。このように本発明品である布団全面干し器具は、既存の洗濯物干し竿１スペースの中で布団２を大きく動かすことなく、吊り下げられた器具が布団２の重さを負担することで容易に布団の裏表全面を日光にあてる作業ができる。また、布団全面干し器具は布団を干している時は３箇所のハンガーフックで洗濯物干し竿に吊り下げられるので、布団および器具の重量が分散され、強風などに対しても３箇所のハンガーフックで荷重を分担するので強度的に心配ない器具にすることができる。
【発明の実施形態及び実施例】
【００１０】本発明の実施の形態として図１、図２に示す４本の棒により長方形の枠を形成するものと図３、図４に示すように２本の長辺棒と２個の短辺部品により長方形の枠を形成するものにわけて説明する。
【００１１】図１、図２では長方形の枠は布団の幅よりも長い２本の水平方向長辺棒３と布団の厚さよりも長い２本の短辺棒４、および棒連結部品５を使って長方形の枠を形成している。枠を形成する長方形短辺の棒４中央部分には枠が回転できるよう２本の長辺棒３と平行な方向に回転軸ａとなる部分をもつ部品６が取り付けられている。この部品６の回転軸ａとなる部分には回転軸ａに対し直角方向に、枠を吊り下げるためのハンガーフック８が枠の外側に取り付けられている。ハンガーフック８は回転軸ａとなる部分をもつ部品６とのあいだで回転機構を形成し、部品６はハンガーフック８の抜け止めｂを備えている。また、枠を形成する水平方向長辺２本の棒３中央にも枠が回転できるよう、２本の短辺棒４と平行な方向に回転軸ｃを構成するための部分をもつ部品９がある。この部品９の回転軸ｃを構成する部分に回転軸ｃに対し同軸方向に、枠を吊り下げるためのハンガーフック１０を取り付ける。ハンガーフック１０は回転軸ｃを構成するための部分をもつ部品９とのあいだで、回転機構及びハンガーフック１０の抜け止めｄを形成する。抜け止め部ｄには部品１２を組み込んでもよい。さらに、長方形長辺の棒中央に取り付けられた部品９は、棒の径よりも少し大きな穴径をもつ部品であり、棒に取り付け状態で回転及び平行移動ができる。ゆえに長辺棒３の中央にハンガーフック１０の取り付けられた部品９を保持するため、平行移動を防止するストッパー部品１１を備えている。
【００１２】図３、図４では長方形の枠を形成するのに布団の厚さよりも長い部品７の穴に布団の幅よりも長い水平方向長辺棒３を組み付けて枠を形成する。枠を形成する長方形短辺部品７中央部分には枠が回転できるよう２本の長辺棒３と平行な方向に回転軸ａとなる部分がある。この回転軸ａとなる部分には回転軸ａに対し直角方向に、枠を吊り下げるためのハンガーフック８が枠の外側に取り付けられている。ハンガーフック８は回転軸ａとなる部分をもつ部品７とのあいだで回転機構を形成し、部品７はハンガーフック８の抜け止めｂを備えている。また、枠を形成する長方形長辺２本の棒３中央にも枠が回転できるよう２個の短辺枠部品７でつくられる枠部分と平行な方向に回転軸ｃを構成するための部分をもつ部品９がある。この部品９の回転軸ｃを構成する部分に回転軸ｃに対し同軸方向に、枠を吊り下げるためのハンガーフック１０を取り付ける。ハンガーフック１０は回転軸ｃを構成するための部分をもつ部品９とのあいだで、回転機構及びハンガーフック１０の抜け止めｄを形成する。さらに、長方形長辺の棒３中央に取り付けられた部品９は、棒の径よりも少し大きな穴径をもつ部品であり、棒に取り付け状態で回転及び平行移動ができる。ゆえに長辺棒３の中央にハンガーフック１０の取り付けられた部品９を保持するため、平行移動を防止するストッパー部品１１を備えている。
【図面の簡単な説明】
【００１３】
【図１】４本棒枠布団全面干し器具の全体正面図
【図２】４本棒枠布団全面干し器具の全体側面図
【図３】２本棒枠布団全面干し器具の全体正面図
【図４】２本棒枠布団全面干し器具の全体側面図
【図５】枠中央ハンガー部全体断面図
【図６】枠中央ハンガー取り付け部品９
【図７】４本棒枠両端ハンガー取り付け部品６
【図８】２本棒枠両端ハンガー取り付け部品７
【符号の説明】
【００１４】  １  洗濯物干し竿
２  布団
３  枠長辺棒
４  枠短辺棒
５  ４本棒枠連結部品
６  ４本棒枠両端ハンガー取り付け部品
７  ２本棒枠両端ハンガー取り付け部品
８  枠両端ハンガー
９  枠中央ハンガー取り付け部品
１０  枠中央ハンガー
１１  ストッパー
１２  ワッシャー
ａ  回転軸
ｂ  抜け止め
ｃ  回転軸
ｄ  抜け止め
【図１】
2014226521.tif 000003
【図２】
2014226521.tif 000004
【図３】
2014226521.tif 000005
【図４】
2014226521.tif 000006
【図５】
2014226521.tif 000007
【図６】
2014226521.tif 000008
【図７】
2014226521.tif 000009
【図８】
2014226521.tif 000010